(57)【要約】【課題】運転者が非常に簡単な操作で携帯電話を手に持たずに通話可能とする。【解決手段】  開口部６ａから携帯電話９を長さ方向Ｘにスライドして収納可能なケース６と、このケース６の奥側６ｂに設けられ、携帯電話の受話部７をケース奥側になるように収納した際、受話部からの音声をキャッチするマイクロホン５と、このマイクロホンにコード４を介して接続されたスピーカー２とを組み合わせて構成されている。又、ケースの底部が、種々の携帯電話に対応する底上げ板を収納可能なよう構成されており、ケースの開口部に底上げ板を掛止する出っ張り部が設けられていても良い。【選択図】図１
0003111013.tif 000002
【実用新案登録請求の範囲】
【請求項１】
開口部（６ａ）から携帯電話（９）を長さ方向（Ｘ）にスライドして収納可能なケース（６）と、このケース（６）の奥側（６ｂ）に設けられ、携帯電話の受話部（７）を前記ケース奥側になるように収納した際、前記受話部からの音声をキャッチするマイクロホン（５）と、このマイクロホンにコード（４）を介して接続されたスピーカー（２）とを組み合わせて構成されていることを特徴とする携帯電話用ハンドフリー通話装置。
【請求項２】
前記ケースの底部が、種々の携帯電話に対応する底上げ板（１４）を収納可能なよう構成されており、前記ケースの開口部に前記底上げ板を掛止する出っ張り部（１７）が設けられていることを特徴とする請求項１に記載の携帯電話用ハンドフリー通話装置。
【請求項３】
前記底上げ板が、弾力性を有する部材であることを特徴とする請求項１又は２に記載の携帯電話用ハンドフリー通話装置。
【請求項４】
前記ケースの少なくとも所定の部分が透明であって、この所定部分が、前記ケースに携帯電話を収納した際に、携帯電話の表示部分（２０）に対応する位置に設けられていることを特徴とする請求項１〜３のいずれか１項に記載の携帯電話用ハンドフリー通話装置。
【請求項５】
前記ケース内に、携帯電話を挟持して保持するための板バネ（８）（１５）が設けられていることを特徴とする請求項１〜４のいずれか１項に記載の携帯電話用ハンドフリー通話装置。
【請求項６】
前記スピーカーに、自動車のシガーライターソケットに装着される電源接続部（１）が備えられていることを特徴とする請求項１〜５のいずれか１項に記載の携帯電話用ハンドフリー通話装置。
【請求項７】
請求項１〜６のいずれか１項に記載の携帯電話用ハンドフリー通話装置が、自動車のハンドル（３１）付近に装備されていることを特徴とする携帯電話用ハンドフリー通話装置。
【考案の詳細な説明】
【技術分野】
【０００１】
本考案は、自動車を運転中に、簡単な操作で携帯電話を手で持たずに通話するための携帯電話用ハンドフリー通話装置に関する。
【背景技術】
【０００２】
運転者が自動車を運転中に、携帯電話を手に持たずに通話するためのハンドフリー通話装置は、従来より種々存在している。これらのハンドフリー通話装置を使用すれば、運転者はハンドルから手を離すことなく通話することができる。しかし、従来の通話装置は、以下のような問題や欠点がある。
【０００３】
例えば、特許文献１に係る装置は、携帯電話を収納するための筐体を備え、この筐体にマイクロホン及びスピーカーが設けられている。しかし、このハンズフリー電話装置は、運転者が運転する前に、携帯電話の入出力端子にハーネスのジャックを接続しなければならないよう構成されている。そのため、非常に手間であると共に、運転する前に、ハーネスを接続し忘れたとき、運転しながらジャックを接続しなければならない。
【０００４】
特許文献２に係る装置は、携帯電話を固定するホルダに、携帯電話を脱着自在に装着するための挟持部を備えている。この通話装置は、確実に携帯電話を挟持することができるが、様々な携帯電話のサイズに適合させることはできない。又、携帯電話の取り外しに手間がかかり、運転中の操作は困難である。
【０００５】
また、特許文献３の装置は、携帯電話を収納可能なケースと、ケースに収納されたマイク及びスピーカとにより構成されている。この収納装置は、ケース内にマイク及びスピーカが内蔵され、ケースとスピーカが一体となっているので、ケースの設置場所によっては、携帯電話からの音声が運転者に聞こえ辛かったり、ケースに携帯電話を収納し難いことがある。また、これも、携帯電話をケースに収納するのに手間がかかり、運転中の操作は難しい。
【特許文献１】特開平１０−２２４４４６号公報
【特許文献２】特開平１０−３０８８１３号公報
【特許文献３】特開２００２−１２０６５５号公報
【考案の開示】
【考案が解決しようとする課題】
【０００６】
そこで、本考案が解決しようとする課題は、前記の諸事情に鑑みて、非常に簡単な操作で携帯電話を手に持たずに通話するための携帯電話用ハンドフリー通話装置を提供することである。
【課題を解決するための手段】
【０００７】
前記した課題を解決するため、本考案に係る携帯電話用ハンドフリー通話装置は、開口部から携帯電話を長さ方向にスライドして収納可能なケースと、このケースの奥側に設けられ、携帯電話の受話部をケースの奥側に収納した際に受話部からの音声をキャッチするマイクロホンと、このマイクロホンにコードを介して接続されたスピーカーとを組み合わせて構成されている。
【０００８】
好ましくは、前記ケースの底部が、種々の携帯電話に対応する底上げ板を収納可能なよう構成され、この底上げ板を掛止するためにケースの開口部に出っ張り部が設けられている。
【０００９】
好ましくは、前記底上げ板が、弾力性を有する部材である。又、前記ケースの少なくとも所定部分が透明であって、この所定部分が、ケースに携帯電話を収納した際に、携帯電話の表示部分に対応する位置に設けられていても良い。
【００１０】
好ましくは、前記ケース内に、携帯電話を挟持して保持するための板バネが設けられている。又、前記スピーカーに、自動車のシガーライターソケットに装着される電源接続部が備えられていても良い。
【００１１】
そして、前記した携帯電話用ハンドフリー通話装置が、自動車のハンドル付近に装備されても良い。
【考案の効果】
【００１２】
本考案に係る携帯電話用ハンドフリー通話装置は、前記のように構成されている。そして、この通話装置によれば、運転者は、携帯電話の呼び出し音が鳴った際、携帯電話をケースにスライドさせて収納し、通話開始ボタンを押すだけで会話することができる。従って、運転者は、運転しながらでも、非常に簡単な操作でワンタッチで、ハンドフリーの通話状態に移行することができる。
【００１３】
又、運転者が携帯電話を収納し易く、運転者の声を携帯電話が直接キャッチできる場所にケースを設置することで、従来例のように、運転者の音声を携帯電話に伝えるためのマイク等が不要となり、非常に簡単な構造とすることができる。
【００１４】
そして、ケースとスピーカとが分離しているので、ケースを運転者の近くに置き、スピーカを比較的広いスペースに置くことにより、運転者の邪魔になることなく、自動車内の空間を有効に利用することができる。
【００１５】
更に、底上げ板や板バネを設けることにより、様々なサイズの携帯電話もケース内にしっかり収納保持することができる。又、この底上げ板を、弾力性のあるもの、例えばダンボールや発砲スチロール等とすることにより、携帯電話のサイズにぴたりと合うように微調節をすることができる。
【００１６】
そして、ケースの所定部分を透明にして、この所定部分の位置が、ケースに携帯電話を収納した際に、携帯電話の表示部分に対応する位置とすることにより、携帯電話をケースに収納している間でも、発信者等を表示部で確認することができる。なお、ケースの全部が透明であっても同様の効果を得る。
【考案を実施するための最良の形態】
【００１７】
以下、添付図面に従って、本考案に係る携帯電話用ハンドフリー通話装置について詳細に説明する。
【００１８】
図１は、本考案に係る携帯電話用ハンドフリー通話装置を説明するための一部断面正面図である。図２は、図１の側面図である。図１及び図２の如く、携帯電話用ハンドフリー通話装置は、携帯電話９を収納するためのケース６を有している。このケース６は、一方側に開口部６ａが設けられている。この開口部６ａを通じて、携帯電話９をケース６内に収納できるよう構成されている。ケース６の長さは、携帯電話９を収納した際に、通話開始ボタン１０及び通話終了ボタン１１がケース６内に収まらない長さであって、携帯電話９をケース６に収納した状態でも通話者（運転者）が操作し易いようになっている。
【００１９】
そして、ケース６の奥側６ｂには、マイクロホン５が設けられている。このマイクロホン５は、コード４を介してスピーカー２に接続されている。スピーカー２は、電源接続部１を備えており、この電源接続部１を自動車のシガーライターソケットに装着することにより、自動車のバッテリーからスピーカー２へ電力を供給することができる。このコード４は伸縮可能なものでもよい。そして、スピーカー２に電池等を備え、電源接続部１を省略することもできる。
【００２０】
携帯電話９は、受話部７と送話部１２を備えている。受話部７は、相手方の音声を通話者（運転者）に伝えるためのスピーカーが携帯電話に設けられた部分である。送話部１２は、通話者（運転者）の音声を相手方に伝えるためのマイクロホンが携帯電話に設けられた部分である。そして、マイクロホン５は、ケース６に収納された携帯電話９の受話部７からの音声をキャッチするよう構成されている。
【００２１】
次に、この携帯電話用ハンドフリー通話装置を使用例について説明する。先ず運転者は、ケース６を自動車内に設置する。その際、ケース６に設けられた粘着テープ等の公知の取付手段（図示略）を用いて、自動車に取り付ける。そして、電源接続部１を自動車のシガーライターソケットに装着する。運転者は、携帯電話９をケース６内に収納し易く、且つ運転者の音声が直接、携帯電話９の送話部１２に伝わるように、ケース６を自動車内に設置する。
【００２２】
そして、運転者が自動車に搭乗する際、携帯電話９をケース６に収納する。又、携帯電話９の呼出音が鳴ってから、携帯電話９をケース６に収納してもよい。その際、携帯電話９の受話部７が、ケース６の奥側６ｂになるように、携帯電話９を長さ方向Ｘにスライドさせてケース６内に収納する。これにより、携帯電話９の受話部７が、ケース６に設けられたマイクロホン５に対向するように配置される。又、受話部７からの音声をマイクロホン５がキャッチし易いように、ケース６には、マイクロホン５に対応する位置に音声通し孔６ｃが設けられている。
【００２３】
そして、携帯電話９の呼出音が鳴れば、携帯電話９の通話開始ボタン１０を押す。ケース６及び携帯電話９は、通話者（運転者）の近くに設けられているので、携帯電話９の送話部１２が、通話者（運転者）の音声を直接キャッチすることができる。又、携帯電話９の受話部７から発せられる相手方の音声は、マイクロホン５でキャッチされて、スピーカー２によって拡声される。そして、会話を終了する際に、携帯電話９の通話終了ボタン１１を押す。
【００２４】
このように、通話者（運転者）は、携帯電話９をワンタッチでケース６に収納して、通話することができる。従って、通話者（運転者）は、運転中でもハンドル操作を誤ることなく、ハンドフリーの通話状態に移行することができ、非常に安全である。
【００２５】
更に、ケース６の少なくとも所定の部分が透明であって、この所定部分の位置を、ケースに携帯電話を収納した際に、携帯電話の表示部分に対応する位置とすることもできる。これにより、ケース６に携帯電話９を収納した状態でも、携帯電話９の表示部分２０に表示された発信者の名前等を確認することができる。本実施例では、ケース６全体が透明であって、携帯電話９の表示部分２０を確認することができるようになっている。
【００２６】
次に、本考案の第二実施例について詳細に説明する。図３は、第二実施例のケースを説明するための図であって、（ａ）はケースの正面断面図、（ｂ）はケースの側面断面図である。図４は、第二実施例のケースを示す斜視図である。
【００２７】
この第二実施例の携帯電話用ハンドフリー通話装置について説明するが、前記した実施例と同様の構造については省略する。図３（ａ）の如く、ケース６の両側壁６ｄ，６ｄ’に、側面板バネ８，８’が設けられている。この側面板バネ８，８’は、アーチ状であって、ケース６の中央に向かって膨らんでいる。
【００２８】
図３（ｂ）の如く、ケース６の底壁６ｅには、３枚の底上げ板１４が設けられている。底上げ板１４に、アーチ状の底面板バネ１５が設けられており、ケース６の上壁６ｆに向かって膨らんでいる。底上げ板１４は、携帯電話９の厚みがケース６に比べて非常に薄い場合に用いるものであり、この底上げ板１４の枚数を調整して、ケース６の底を上げることにより、携帯電話９の厚みに適合させることができる。
【００２９】
そして、側面及び底面板バネ８，１５の弾性力で、携帯電話９を付勢してケース６内にぴったりと挟持、保持することができる。更に、携帯電話９をケース６内にスライド収納するができるよう、板バネ８，１５の形状をアーチ状としている。
【００３０】
そして、図４の如く、ケース６の開口部６ａに設けた出っ張り部１７，１７’で、底上げ板１４を掛止することができる。出っ張り部１７，１７’を底壁６ｅ側に設けることにより、開口部６ａの上壁６ｆ側を大きく、開口部６ａの底壁６ｅ側を小さくすることができるので、この大きい部分から底上げ板１４をケース６内に収納して、底上げ板１４をケース６の底壁６ｅに設置、保持することができる。
【００３１】
又、底上げ板１４を、例えばダンボールや発砲スチロール等の弾力性のある部材にして、ケース６の収納部のサイズを、携帯電話９のサイズより若干小さめにすることにより、底上げ板１４の弾力で、携帯電話９をケース６の収納部にぴったりと挟持して保持することができる。この場合、板バネ８，１５を省略することもできる。
【００３２】
図５は、本考案の第三実施例を説明するための図である。図５の如く、この実施例では、マイク５を取り付けたケース６、コード４及びスピーカー２が、自動車のハンドル３１の近くに予め内臓されている。自動車に本考案の携帯電話用ハンドフリー通話装置を内臓することにより、運転中に邪魔なコード４等も自動車に内蔵されているので、すっきりとした車内となる。又、スピーカー２は、自動車のオーディオ用としてもともと内蔵されているものを使用することもできる。そして、ケース６は、自動車のセンターパネル３０等に予め設けられたタバコ等を収納するためのくぼみを利用することもできる。
【図面の簡単な説明】
【００３３】
【図１】本考案に係る携帯電話用ハンドフリー通話装置を説明するための一部断面正面図である。
【図２】図１の側面図である。
【図３】第二実施例のケースを説明するための図であって、（ａ）はケースの正面断面図、（ｂ）はケースの側面断面図である。
【図４】第二実施例のケースを示す斜視図である。
【図５】第三実施例を説明するための図である。
【符号の説明】
【００３４】
１．電源接続部
２．スピーカー
４．コード
５．マイクロホン
６．ケース
６ａ．ケースの開口部
６ｂ．ケースの奥側
７．携帯電話の受話部
８．側面板バネ
９．携帯電話
１４．底上げ板
１５．底面板バネ
１７．出っ張り部
２０．携帯電話の表示部
Ｘ．携帯電話の長さ方向
【図１】
0003111013.tif 000003
【図２】
0003111013.tif 000004
【図３】
0003111013.tif 000005
【図４】
0003111013.tif 000006
【図５】
0003111013.tif 000007